(57)【要約】【課題】日本的様式をもって、木製の格子状基本ユニットを格子棒にて中心部に万字模様を持つ障子型戸、天井で囲まれた部屋で簡単に組み立てられてる構造体を形成して、しかも格子組子になった意匠性組子模様の障子型戸・天井で囲まれた組み立て構造物を提供する。【解決手段】部屋面積として２畳〜８畳の広さで、木材の通し柱と梁の横架材を、仕口、ホゾにより接合し、天井に垂木を構成する構造体であって、通し柱４〜８本、内障子（溝レール入）鴨居柱４〜８本、内障子（溝レール入）敷居柱４〜８本によって簡単に組み立てできて、木材製角状格子で内部に万字模様で仕立てた組子体からなる７００〜９５０ｍｍ、高さ１７００〜２３００ｍｍの障子型戸を、構造体の側周囲の２〜４面に、天井に一辺４００〜１０００ｍｍの正方体、又は長方体の格子組子で構成された枠体を縦横二方向に４〜１６組を嵌め込んで形成されている簡易組み立て組子枠体からなる構造体である。【選択図】図１
0003205221.tif 000002
【実用新案登録請求の範囲】
【請求項１】
部屋面積として２畳〜８畳の広さで、木材の通し柱と梁の横架材を、仕口、ホゾにより接合し、天井に垂木を構成する構造体であって、通し柱４〜８本、内障子鴨居柱４〜８本、内障子敷居柱４〜８本によって簡単に組み立てできて、木材製角状格子で内部に万字模様で仕立てた組子体からなる７００〜９５０ｍｍ、高さ１７００〜２３００ｍｍの障子型戸を、構造体の側周囲の２〜４面に、天井に一辺４００〜１０００ｍｍの正方体、又は長方体の格子組子で構成された枠体を縦横二方向に４〜１６組を嵌め込んで形成されていることを特徴とする簡易組み立て組子枠体からなる構造体。
【請求項２】
仕口、ホゾ、ホゾ穴を持つ通し柱４〜８本、及び溝レール入障子鴨居柱４〜８本、及び溝レール入内障子敷居柱４〜８本によって簡単に組み立てできて、通し柱の太さは７０〜２００ｍｍ、長さ１９００〜２５００ｍｍの角材で、溝レール入鴨居柱は、太さ７０〜２５０ｍｍ、長さ１８００〜３６００ｍｍで、溝レール入り敷居柱は、太さ５０〜２００ｍｍ、長さ１８００〜３６００ｍｍで、鴨居柱と敷居柱の間に組子入り障子型戸を嵌め込みできる１０〜４０ｍｍ幅の溝レール部１〜３本を、柱の上下に２〜４箇所ずつに鴨居と敷居を嵌めもめるような仕口をもっていることを特徴とする簡易組み立て組子枠体からなる構造体。
【請求項３】
障子型戸、又は天井の枠体に使用される木材製角状格子は、材料としてヒバ、ヒノキ、スギから選ばれた針葉樹林の木材であって、厚さ２〜１０ｍｍ、幅３〜２０ｍｍの角材の各格子の表面に木目調絞付けを行い、結合した連続面として継目が目立たないように組子正方体の中心部に万字模様の格子状を組み立てて、木材製角状格子で中心部に存在している万字模様は、巴の図案化された追掛万字、つなぎ万字、寄せ万字、綱代万字、二重万字、熨斗目万字から選ばれ
0003205221.tif 000007
いることを特徴とする請求項１又は請求項２に記載の簡易組み立て組子枠体からなる構造体。
【請求項４】
障子型戸、及び天井の枠体に木材製角状格子で中心部万字模様に仕立てた組子正方体は、一辺１００〜４５０ｍｍの寸法であって、中心に厚さ２〜１０ｍｍ、幅３〜２０ｍｍの角材格子を組み立てた万字を形成しており、障子型戸、又は天井の枠体ユニット内に２〜３２個を形成されていることを特徴とする請求項１〜請求項３のいずれかに記載の簡易組み立て組子枠体からなる構造体。
【請求項５】
部屋面積として２畳〜８畳であって、床は日本式の畳敷き、又は茣蓙敷きであって、周囲２〜４面に組子入り障子型戸で囲い、天井に組子入り枠体を嵌め込み、前記障子型戸、枠体における万字模様を組み立てられて形成される格子状基本ユニットに囲まれた構造体内にて、茶道、華道、書道などの日本式作法を実施できる広さになっていることを特徴とする請求項１〜請求項３のいずれかに記載の簡易組み立て組子枠体からなる構造体。
【請求項６】
前記格子状基本ユニットは、障子型戸、及び天井に設置固定した縦のフレーム状枠材と、それに横のフレーム状枠材を組み立てられた正方形枠体内、又は長方形枠体内に前記ユニットを、組み立て、および取り外しを容易にした、嵌め込め式構造になっていることを特徴とする請求項１〜請求項５のいずれかに記載の簡易組み立て組子枠体からなる構造体。
【考案の詳細な説明】
【技術分野】
【０００１】本考案は一つの部屋の構造体における側面、天井において組子格子ユニットの意匠部材に関し、側面の障子と天井に木製組子でできた基本組子ユニットで製作されて、軽量で、容易に組み立て可能で、意匠部材として得られる障子、或は天井枠体からなっている簡易組み立て組子枠体からなる構造体に関する。
【背景技術】
【０００２】床材としての用途は耐摩耗性の面から従来難しいとされていた静電植毛技術に着目し、特定のパイルを透明樹脂の表面に特定の目付け量にて静電植毛することで、意外にも、パイルの目付け量が抑えられ、下の意匠性を損なわずに、カーペットのような温感性と触感ばかりか、優れた清掃性と耐摩耗性をも有する床材が得られるとの知見を得た。（特許文献１参照）。【０００３】生産性、強度、耐候性、および耐久性のいずれにも優れ、高い意匠性を実現しうる透明樹脂製床材を提供するものが提案されている（特許文献２参照）。
さらに合理的かつ簡明で優れた機能を備えたガラス床に誘導灯を組み込み、避難誘導その他の誘導に必要な場合にのみそれが視認性を確保してその作用を発揮する意匠性に優れたものが提案されている（特許文献３参照）。【０００４】２枚の透明な板の間に一定間隔で平行な仕切り板が設けられた透明中空板の該中空部に繊維状物質が充填されることにより、図柄が描かれてなる。デザインボードは、主に屋内の装飾用に用いられ、その使用方法としては、壁に掛けたり、天井などから吊るしたり、窓枠にはめたり、テーブル等の上に置いたりして使用されている（特許文献４参照）。【０００５】室内の天井、又は壁面において、木材製角状格子１を中心部万字模様２に仕立てた組子正方体を縦横二方向に２〜８組連続的に構成した４５０〜９００ｍｍの正方体、又は長方体を枠体に嵌め込んで形成されて、材料として針葉樹林の木材であって、厚さ１０〜３０ｍｍの角材の各格子の表面に木目調絞付けを行い、結合した連続面とした組子正方体の中心部に模様を形成している意匠性組子模様の天井・壁面ユニットが提供されている（特許文献５参照）。【０００６】紙のように薄い薄板を構成要素としたユニット板で多層化された断熱遮音板が設けられ、季節の変化によって変形しない多層ユニット板で構成されていて、空気層が設けられており、僅かな種類の大きさのユニット板によって、通常使用される障子が作られ、全厚の厚いユニット板を手軽に着脱でき、簡単に拭き掃除ができるとともに、障子の骨組と断熱遮音板との間は、埃の溜まらない密着構成となっており、障子の骨組と骨組との間は、斑なく明るく、意匠的選択性とインテリア性に優れているうえ、容易に障子の丈が調節できるものが提案されている（特許文献６参照）。【０００７】組子で製作された壁面、或は天井は、よく知られており、また組子入りの障子、戸も存在しているが、固定的に設置されているものであり、これら組子入り障子、戸、或は天井を持つ部屋構造で、簡易組み立てできる構造体は全く存在しない。またホテル、博物館などの広いロビーなどに設置した展示物とした置物については存在していない。
【先行技術文献】
【特許文献】
【０００８】
【特許文献１】特開２０１１−２３１５３９号公報
【特許文献２】特開２００８−２１６３号公報
【特許文献３】特開２００７−３３２５３８号公報
【特許文献４】実用新案登録第３１６３６８７号公報
【特許文献５】実用新案登録第３１９４０８６号公報
【特許文献６】特開平７−２３８７４８号公報
【考案の概要】
【考案が解決しようとする課題】
【０００９】上記の木材製の格子状組子を使用した部屋は、意匠性組子模様の障子型戸、天井・壁面ユニットと部分的に取り付けられているが、これら格子状組子の製作にて大量生産にはほど遠い状況にあった。即ち、組子の材料の適正化などの吟味並びに木工での大工工事に高度な技術と熟練を必要とすること。天然木素材の欠点として反り、曲がり、腐食、カビ等が発生すること。建具を製作出来る職人は長期間の奉公による修行が必要であるため熟練工が少なくなり、従って製品が高価であること。内枠は無垢で肉盗み等がないため重く、取扱いにくいこと。内枠は外枠を含めた一体物であるため大形品となり取扱にくいことが上げられる。【００１０】また部屋の装飾として、天井、壁面に格子状組子の装飾体に構造物を取り付けているが、各種の室内調度品のデザインが、益々多様に高度化されつつある昨今では、家族団らんの中心となる居間等の天井、壁面も、それ等に負けない様により魅力的な自然体の意匠性のものを展示することが期待されている。そこで、本考案の目的は、部屋としての構造体に意匠性組子模様の障子型戸、天井を取り付けられる組み立て式構造体を構成して、既存のものに比べてより魅力的に、個性的にデザインされた意匠性雰囲気をもたらせる部屋的構造体を提供するにある。【００１１】障子型戸、天井を取り付けられる組み立て式部屋構造体において、組子で製作された固定式壁面、或は天井は、よく知られており、また住宅内での組子入りの障子、戸も存在しているが、住宅内で固定的に設置されているものであり、これら組子入り障子、戸、或は天井を持つ部屋になる組み立て移動できる構造体で、簡易組み立てできる構造物は全く存在しない。またホテル、あるいは博物館などの公共設備における広いロビーに日本的様式を示す展示物として、或はイベントなどで使用するものが期待されている。【００１２】本考案は、上述のような課題に対処すべく鋭意検討の結果、提案するに至ったもので、組子入り障子、戸、或は天井を持つ部屋構造で、取り外しが容易で、簡単に組み立てが可能である格子状組子基本ユニット障子型戸、及び天井に嵌め込み結合することにより、一つの部屋として設置できる構造体を、大形で、曲線部、凹凸等の自由なデザインが任意に形成でき、しかも比較的安価に大量生産が可能な意匠性組子模様の簡易組み立て組子枠体からなる構造体を提供することを目的とするものである。
【課題を解決するための手段】
【００１３】部屋面積として２畳〜８畳の広さで、木材の通し柱と梁の横架材を、仕口、ホゾにより接合し、天井の垂木を構成する構造体であって、通し柱４〜８本、内障子（溝レール入）鴨居柱４〜８本、内障子（溝レール入）敷居柱４〜８本によって簡単に組み立てできて、木材製角状格子で内部に万字模様で仕立てた組子体からなる７００〜９５０ｍｍ、高さ１７００〜２３００ｍｍの障子型戸を、構造体の側周囲の２〜４面に、天井に一辺４００〜１０００ｍｍの正方体、又は長方体の組子で構成された枠体を縦横二方向に４〜１６組を嵌め込んで形成されている簡易組み立て組子枠体からなる構造体である。【００１４】仕口、ホゾ、ホゾ穴を持つ通し柱４〜８本、及び溝レール入鴨居柱４〜８本、及び溝レール入敷居柱４〜８本によって簡単に組み立てできて、通し柱の太さは７０〜２００ｍｍ、長さ１９００〜２５００ｍｍの角材で、溝レール入鴨居柱は、太さ７０〜２５０ｍｍ、長さ１８００〜３６００ｍｍで、溝レール入り敷居柱は、太さ５０〜２００ｍｍ、長さ１８００〜３６００ｍｍで、鴨居柱と敷居柱の間に組子入り障子型戸を嵌め込みできる１０〜４０ｍｍ幅の溝レール部２本を、柱の上下に２箇所ずつに鴨居と敷居を嵌めもめるような仕口をもっている。【００１５】障子型戸、又は天井の枠体に使用される木材製角状格子は、材料としてヒバ、ヒノキ、スギから選ばれた針葉樹林の木材であって、厚さ２〜１０ｍｍ、幅３〜２０ｍｍの角材の各格子の表面に木目調絞付けを行い、結合した連続面として継目が目立たないように組子正方体の中心部に万字模様の格子状を組み立てて、木材製角状格子で中心部に存在している万字模様は、巴の図案化された追掛万字、つなぎ万字、寄せ万字、綱代万字、二重万字、熨斗目万字から選ばれ
0003205221.tif 000003
いる。【００１６】天井の枠体に木材製角状格子で中心部万字模様に仕立てた組子正方体は、一辺１００〜４５０ｍｍの寸法であって、中心に厚さ２〜１０ｍｍ、幅３〜２０ｍｍの角材格子を組み立てた万字を形成しており、障子型戸、又は天井の枠体ユニット内に２〜３２個を形成されている。【００１７】部屋面積として２畳〜８畳であって、床は日本式の畳敷き、又は茣蓙敷きであって、周囲２〜４面に組子入り障子型戸で囲い、天井に組子入り枠体を嵌め込み、前記障子型戸、枠体における万字模様を組み立てられて形成される格子状基本ユニットに囲まれた構造体内にて、茶道、華道などの日本式作法を実施できる広さになっている。【００１８】前記格子状基本ユニットは、障子型戸、天井に設置固定した縦のフレーム状枠材と、それに横のフレーム状枠材を組み立てられた正方形枠体内、又は長方形枠体内に前記ユニットを、組み立て、および取り外しを容易にした、嵌め込め式構造になっている。
【考案の効果】
【００１９】本考案に係る簡易組み立て組子枠体からなる構造体は、一つの部屋として設置できる構造物として、内観、外観的には自由なデザインが任意に形成でき、障子型戸、天井、壁面を格子組子による意匠部材は、更に天然木材の芳香性、防菌性の材料使用しているために、木の香りをもたらすとともに、部屋内で万字の模様によって精神的に落ち着いた気持ちと雰囲気になった。また巴の図案化された追掛万字、つなぎ万字、寄せ万字、綱代万字、二重万字、熨斗目万字の模様であって、古式風な日本調雰囲気に気分的にもたらされ、茶道、華道に落ち着いた様相になった。またホテル、あるいは博物館などの公共設備における広いロビーに日本的様式を示す展示物として、或はイベントなどに使用することができた。【００２０】このように本考案によれば、簡易組み立て組子枠体からなる構造体は、簡単に障子型戸、天井、壁面に嵌め込んで、部屋の装飾を完成させることができて、立体格子組子による組立格子部材は、種々の組子の既製品の組み立てをおこなって生産できるので、軽量・品質に保証できて、多用途パネル材が適切に得られる。また組み立て、解体が容易で、搬送も簡易であるので、ホテルのロビーなどの室内において、展示物として、あるいはイベント会場として、種々の場所に設置が可能である。
【図面の簡単な説明】
【００２１】
【図１】本考案の簡易組み立て組子枠体からなる構造体を示す斜視図である。Ａ：外観  Ｂ：内観
【図２】本考案の格子組子による意匠性組子模様の構造体の状態を示す図である。Ａ：柱類の構造  Ｂ：平面構造  Ｃ：正面構造
【図３】本考案の格子組子による意匠性組子模様の天井構造を示す図である。Ａ：天井構造の組み立て柱  Ｂ：平面図  Ｃ：組み入れ組子体
【図４】本考案の格子組子による意匠性組子模様の構造体の組子付障子戸の種類例を示す図である。Ａ：Ａタイプ組子障子  Ｂ：Ｂタイプ組子障子  Ｃ：Ｃタイプ組子障子
【図５】本考案の格子組子による意匠性組子模様の構造体の障子戸の取り付け状態を示す図である。Ａ：障子戸  Ｂ：障子戸の取り付け
【図６】本考案簡易組み立て組子枠体からなる構造体の部品組み立てを示す図である。Ａ：柱、Ｂ：内障子（溝レール入）鴨居柱、Ｃ：内障子（溝レール入）敷居柱  Ｄ：天井の梁  Ｅ：床の下地と畳  Ｆ：障子戸
【図７】本考案簡易組み立て組子枠体からなる構造体の柱類の接合組み立て構造を示す図である。Ａ：柱、Ｂ：鴨居柱、Ｃ：敷居柱
【図８】本考案簡易組み立て組子枠体からなる構造体の柱類の接合組み立て方法を示す図である。Ａ：柱と鴨居柱の接合、Ｂ：鴨居柱と梁の接合、Ｃ：天井の梁と小梁の接合
【図９】本考案の簡易組み立て組子枠体からなる構造体を使用している状態を示す斜視図である。Ａ：外観状態  Ｂ：内観状態
【考案を実施するための形態】
【００２２】部屋面積として２畳〜８畳であって、床は日本式の畳敷き、又は茣蓙敷きであって、周囲２〜４面に組子入り障子型戸で囲い、天井に組子入り枠体を嵌め込み、前記障子型戸、枠体における万字模様を組み立てられて形成される格子状基本ユニットに囲まれた構造体内にて、茶道、華道などの日本式作法を実施できる広さになっている。
【００２３】前記格子状基本ユニットは、障子型戸、天井に設置固定した縦のフレーム状枠材の梁、小梁と、それに横の粱と小梁を組み立てられた正方形枠体内、又は長方形枠体内に前記ユニットを嵌め込めるような構造になっている。
【実施例１】
【００２４】図１、図２に示すように、部屋面積として４畳半の広さで、木材の通し柱と梁の横架材を、仕口、ホゾにより接合し、天井の梁と小梁の垂木を構成する構造体であって、柱４本、内障子（溝レール入）鴨居柱４本、内障子（溝レール入）敷居柱４本によって簡単に組み立てできて、構造体の側周囲に木材製角状格子で内部に万字模様で仕立てた組子体からなる８１０ｍｍ、高さ１７５０ｍｍの障子型戸面を４面に、天井を縦横二方向に９組で構成した７８０ｍｍの正方体を組子入り枠体に嵌め込んで形成した。【００２５】図３、７に示すように、柱４本、溝レール入鴨居柱４本、溝レール入敷居柱４本によって簡単に組み立てできて、通し柱の太さは１２０ｍｍ、長さ１８００ｍｍの角材で、溝レール入鴨居柱は、太さ１２０ｍｍ、長さ２３７０ｍｍで、溝レール入り敷居柱は、太さ１２０ｍｍ、長さ２３７０ｍｍで、鴨居柱、及び敷居柱に障子を嵌め込みできる２５ｍｍの溝レール部３本を、柱の上下に２箇所ずつに鴨居と敷居を嵌めもめるような仕口を設けた。図６，７のような柱状態で組み立てて、組子障子戸を取り付けて、一つの部屋状態にした。【００２６】図３Ｃ、図５に示すように障子型戸、又は天井の枠体に使用される木材製角状格子は、材料としてスギの木材であって、厚さ３ｍｍの角材の各格子の表面に木目調絞付けを行い、結合した連続面として継目が目立たないように組子正方体の中心部に万字模様の格子状を組み立てて、図４に示すように木材製角状格子で中心部に存在している万字模様は、巴の図案化された追掛万字の格子模様
0003205221.tif 000004
【００２７】図３で示すように天井の枠体に木材製角状格子で中心部万字模様に仕立てた組子正方体は、一辺７９０ｍｍの寸法であって、中心に厚さ３ｍｍの角材格子を組み立てた万字を形成しており、枠体ユニット内に９個を形成された。完成した構造体は、図９に示すようにものになり、室内で茶会ができるようになった。
【実施例２】
【００２８】実施例１と同様に部屋面積として４畳半から６畳の広さにした。同様に木材の通し柱と梁の横架材を、仕口、ホゾにより接合し、天井の垂木を構成する構造体であって、柱４本、内障子（溝レール入）鴨居柱４本、内障子（溝レール入）敷居柱４本によって簡単に組み立てできて、構造体の側周囲に木材製角状格子で内部に万字模様で仕立てた組子体からなる７９０ｍｍ、高さ１９５０ｍｍの障子型戸面を４面に、天井を縦横二方向に１２組で構成した７９０ｍｍの正方体、又は長方体を組子入り枠体に嵌め込んで形成されている。【００２９】柱４本、溝レール入鴨居柱４本、溝レール入敷居柱４本によって簡単に組み立てできて、通し柱の太さは１２０ｍｍ、長さ１９５０ｍｍの角材で、溝レール入鴨居柱は、太さ１２０ｍｍ、長さ２６１０と３３００ｍｍで、溝レール入り敷居柱は、太さ１２０ｍｍ、長さ２６１０と３３００ｍｍで、鴨居柱、及び敷居柱に障子を嵌め込みできる３０ｍｍの溝レール部２本を、柱の上下に２箇所ずつに鴨居と敷居を嵌めもめるような仕口を設けた。【００３０】障子型戸、又は天井の枠体に使用される木材製角状格子は、材料としてヒバ、の木材であって、厚さ１０、２０ｍｍの角材の各格子の表面に木目調絞付けを行い、結合した連続面として継目が目立たないように組子正方体の中心部に万字模様の格子状を組み立てて、木材製角状格子で中心部に存在している万字模様は、巴の図案化された追掛万字、つなぎ万字、寄せ万字の格子模様であって、
0003205221.tif 000005
【００３１】天井の枠体に木材製角状格子で中心部万字模様に仕立てた組子正方体は、一辺７８０ｍｍの寸法であって、中心に厚さ１０ｍｍの角材格子を組み立てた万字を形成しており、枠体ユニット内に１２個を形成した。
【実施例３】
【００３２】実施例１と同様に、部屋面積として４畳半から８畳の広さに変更して、木材の通し柱と梁の横架材を、仕口、ホゾにより接合し、天井の梁、などの垂木を構成する構造体であって、柱４本、内障子（溝レール入）鴨居柱４本、内障子（溝レール入）敷居柱４本によって簡単に組み立てできて、構造体の側周囲に木材製角状格子で内部に万字模様で仕立てた組子体からなる７８０ｍｍ、高さ１５００ｍｍの障子型戸面を４面に、天井を縦横二方向に１６組で構成した７８０ｍｍの正方体を組子入り枠体に嵌め込んで形成した。【００３３】柱４本、溝レール入鴨居柱４本、溝レール入敷居柱４本によって簡単に組み立てできて、通し柱の太さは１００〜１５０ｍｍ、長さ１９００〜２１００ｍｍの角材で、溝レール入鴨居柱は、太さ１００〜２００ｍｍ、長さ１８００〜３６００ｍｍで、溝レール入り敷居柱は、太さ５０〜１００ｍｍ、長さ１８００〜３６００ｍｍで、鴨居柱、及び敷居柱に障子を嵌め込みできる２０〜４０ｍｍの溝レール部２本を、柱の上下に２箇所ずつに鴨居と敷居を嵌めもめるような仕口をもっている。【００３５】障子型戸、又は天井の枠体に使用される木材製角状格子は、材料として、ヒノキの木材であって、厚さ２０ｍｍの角材の各格子の表面に木目調絞付けを行い、結合した連続面として継目が目立たないように組子正方体の中心部に万字模様の格子状を組み立てて、木材製角状格子で中心部に存在している万字模様は、
0003205221.tif 000006
て製作した。【００３６】天井の枠体に木材製角状格子で中心部万字模様に仕立てた組子正方体は、一辺４９０ｍｍの寸法であって、中心に厚さ１０ｍｍの角材格子を組み立てた万字を形成しており、枠体ユニット内に１６個を形成されている。
【符号の説明】
【００３７】１．  組子枠体からなる構造体
２．  柱
３．  鴨居柱
４．  敷居柱
５．  梁
６．  小梁
７．  組子障子戸
８．  組子天井
９．  組子
１０．溝レール
１１．天井
１２．床
１３．下地
１４．畳
１５．切りこみ
１６．ボルト
１７．通し柱
１８．内障子（溝レール入）鴨居柱
１９．内障子（溝レール入）敷居柱
２０．枠体
２１．ボソ
２２．ボソ口
２３．組子模様
【図１】
0003205221.tif 000008
【図２】
0003205221.tif 000009
【図３】
0003205221.tif 000010
【図４】
0003205221.tif 000011
【図５】
0003205221.tif 000012
【図６】
0003205221.tif 000013
【図７】
0003205221.tif 000014
【図８】
0003205221.tif 000015
【図９】
0003205221.tif 000016